(57)【要約】【課題】  インキ中における気泡の発生を化学的に防止するために、特定の化合物を添加することで、インキ及び／又はインキ逆流防止体がインキ収容管内から洩れることを防ぎ、良好な筆跡が得られる筆記具用油性インキ組成物及びそれを内蔵した筆記具を提供する。【解決手段】  少なくとも着色剤と、有機溶剤と、フェノール系酸化防止剤とを含んでなる筆記具用油性インキ組成物、及び、前記筆記具用油性インキ組成物をインキ収容容器に直接充填し、インキ消費に伴って追従するインキ逆流防止体をインキ後端に密接配置してなる筆記具。【選択図】  なし【特許請求の範囲】
【請求項１】
少なくとも着色剤、有機溶剤を含んでなる油性インキ組成物であって、フェノール系酸化防止剤を含んでなる筆記具用油性インキ組成物。
【請求項２】
前記フェノール系酸化防止剤をインキ組成物中０．０１重量％以上含んでなる請求項１記載の筆記具用油性インキ組成物。
【請求項３】
剪断減粘性付与剤を含んでなる請求項１又は２記載の筆記具用油性インキ組成物。
【請求項４】
請求項１乃至３記載のいずれかの筆記具用油性インキ組成物をインキ収容容器に直接充填し、インキ消費に伴って追従するインキ逆流防止体をインキ後端に密接配置してなる筆記具。
【請求項５】
ボールペン形態である請求項４記載の筆記具。
【発明の詳細な説明】
【技術分野】
【０００１】
本発明は筆記具用油性インキ組成物及びそれを内蔵した筆記具に関する。
【背景技術】
【０００２】
従来より、油性インキを内蔵する筆記具としては、インキ収容容器内にインキを充填し、前記インキ収容容器先端部にボールペンチップを嵌合させた簡易な構造のボールペンを挙げることができる。
また、前記油性インキ中に種々の剪断減粘性付与剤を添加することにより、静置状態におけるみかけ粘度を高くし、インキ収容管後端からのインキ漏出を防止したり、紙面上の筆跡の滲みの発生を抑える試みもなされている。
前記油性インキを直接充填した筆記具は簡易な構造であり、水性インキを直接充填した筆記具のように流量調節部材（ペン芯）を用いて密閉構造にする必要もない。よって、内部圧力の変化が少ないためインキのボタ落ちを生じない利点を有する反面、インキの調製及び充填に際し、特別な配慮が必要である。それは、インキ中に気体が混入していると、経時により気体が集まって気泡が発生し、筆記時のインキ出に悪影響を与えると共に、筆記先端部に気泡が存在すると筆記不能になる虞れがあるからである。
特に、インキ後端面には前記インキ中の溶剤が蒸発することを防止したり、或いは筆記先端部が上向き状態（正立状態）においてインキの逆流を防止するインキの消費に伴って追従するインキ逆流防止体（液栓）を充填した筆記具は、インキは外部の空気と遮断された気密空間に存在するため、気泡の発生による悪影響を受け易い。
前記した問題を解決するために、インキ中の気泡発生を抑制するヒドロキシルアミン又はその塩、ヒドロキシルアミン誘導体又はその塩を添加する試みがなされている（例えば、特許文献１参照）。
【特許文献１】特開２００２−２６５８４４号公報
【発明の開示】
【発明が解決しようとする課題】
【０００３】
本発明は、インキ中の気体を化学的に除去する特定の化合物について更に検討し、前述したインキを直接的に充填するタイプの筆記具に適した、良好な筆記性能を得ることができる筆記具用油性インキ組成物及びそれを内蔵した筆記具を提供することにある。
【課題を解決するための手段】
【０００４】
本発明は、少なくとも着色剤、有機溶剤を含んでなる油性インキ組成物であって、フェノール系酸化防止剤を含んでなる筆記具用油性インキ組成物を要件とする。
更には、前記フェノール系酸化防止剤をインキ組成物中０．０１重量％以上含んでなること、剪断減粘性付与剤を含んでなること等を要件とする。
更には、前記筆記具用油性インキ組成物をインキ収容容器に直接充填し、インキ消費に伴って追従するインキ逆流防止体をインキ後端に密接配置してなる筆記具を要件とする。
【発明の効果】
【０００５】
本発明の筆記具用油性インキ組成物は、フェノール系酸化防止剤を配合することによりインキ中の気泡を除去できる。従って、前記インキを用いた筆記具は、経時により気泡が発生せず、筆記先端部へのインキ導出が円滑に行われ、安定した筆記性能を持続させることができるので継続して良好な筆跡が得られる。
【発明を実施するための最良の形態】
【０００６】
本発明者は、前記したインキ中の気体を化学的に除去する化合物のうち、各種添加剤に対する影響が少なく、しかも、少量の添加で十分な気体の除去機能を示すと共に前記機能を永続的に発現させる化合物について鋭意検討した結果、フェノール系酸化防止剤が良好な筆記性能を維持しつつ、長期的に顕著な気体除去機能を示すことを見い出した。
前記フェノール系酸化防止剤は、インキ中で還元性を示すため、良好な酸素吸収能を有する。
【０００７】
前記フェノール系酸化防止剤としては、ヒドロキノン、カテコール、ピロガロール、没食子酸、没食子酸エステル、２，６−ジ−ｔ−ブチル−４−エチルフェノール、ステアリル−β−（３，５−ジ−ｔ−ブチル−４−ヒドロキシフェニル）プロピオネート等のモノフェノール系酸化防止剤、
２，２´−メチレンビス（４−メチル−６−ｔ−ブチルフェノール）、２，２´−メチレンビス（４−エチル−６−ｔ−ブチルフェノール）、４，４´−チオビス（３−メチル−６−ｔ−ブチルフェノール）、４，４´−ブチリデンビス（３−メチル−６−ｔ−ブチルフェノール）、３，９−ビス〔１，１−ジメチル−２−〔β−（３−ｔ−ブチル−４−ヒドロキシ−５−メチルフェニル）プロピオニルオキシ〕エチル〕２，４，８，１０−テトラオキサスピロ〔５，５〕ウンデカン等のビスフェノール系酸化防止剤、
１，３，５−トリス（３´，５´−ジ−ｔ−ブチル−４´−ヒドロキシベンジル）−ｓｅｃ−トリアジン−２，４，６−（１Ｈ，３Ｈ，５Ｈ）トリオン、テトラキス−〔メチレン−３−（３´，５´−ジ−ｔ−ブチル−４´−ヒドロキシルフェニル）プロピオネート〕メタン、４，４´−ブチリデンビス（３−メチル−６−ｔ−ブチルフェノール）、１，３，５−トリメチル−２，４，６−トリス（３，５−ジ−ｔ−ブチル−４−ヒドロキシベンジル）ベンゼン、１，１，３−トリス（２−メチル−４−ヒドロキシ−５−ｔ−ブチルフェニル）ブタン等の高分子型フェノール系酸化防止剤を例示することができる。また、前記フェノール系酸化防止剤の誘導体、或いはそれらの塩も適用できる。
なお、前記フェノール系酸化防止剤は２種以上を併用することもできる。
【０００８】
前記フェノール系酸化防止剤は、インキ組成中０．０１重量％以上、好ましくは０．０１〜５重量％、更に好ましくは０．０５〜３重量％添加することができる。
０．０１重量％未満では所期の気泡発生抑止効果を得ることは困難である。
又、多量に添加することもできるが、５重量％以下で所望の効果は十分に得られる。
【０００９】
前記有機溶剤としては、例えば、エチルアルコール、ｎ−プロピルアルコール、イソプロピルアルコール、ｎ−ブチルアルコール、イソブチルアルコール、ｓｅｃ−ブチルアルコール、ｔｅｒｔ−ブチルアルコー９、ｔｅｒｔ−アミルアルコール、ベンジルアルコール、エチレングリコール、ジエチレングリコール、プロピレングリコール、ベンジルグリコール、エチレングリコールモノメチルエーテル、エチレングリコールジエチルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノエチルエーテル、ジエチレングリコールモノフェニルエーテル、プロピレングリコールモノメチルエーテル、プロピレングリコールモノエチルエーテル、プロピレングリコールモノフェニルエーテル、ジプロピレングリコールモノエチルエーテル、ジプロピレングリコールモノフェニルエーテル、トリプロピレングリコールモノメチルエーテル、トリプロピレングリコールモノエチルエーテル、トリプロピレングリコールモノフェニルエーテル、ｎ−ヘプタン、ｎ−オクタン、イソオクタン、メチルシクロヘキサン、エチルシクロヘキサン、トルエン、キシレン、エチルベンゼン、メチルイソブチルケトン、メチルｎ−プロピルケトン、メチルｎ−ブチルケトン、ジ−ｎ−プロピルケトン、蟻酸ｎ−ブチル、蟻酸イソブチル、酢酸ｎ−プロピル、酢酸イソプロピル、酢酸ｎ−ブチル、酢酸イソブチル、プロピオン酸エチル、プロピオン酸ｎ−ブチル、酪酸メチル、酪酸エチル等を例示できる。
前記有機溶剤は１種又は２種以上を混合して用いてもよく、インキ組成中４０〜８０重量％の範囲で用いられる。
【００１０】
前記着色剤としては従来より汎用の染料や顔料を使用できる。前記染料としては、例えば、カラーインデックスにおいてソルベント染料として分類される有機溶剤可溶性染料が挙げられる。
前記ソルベント染料の具体例としては、バリファーストブラック３８０６（Ｃ．Ｉ．ソルベントブラック２９）、同３８０７（Ｃ．Ｉ．ソルベントブラック２９の染料のトリメチルベンジルアンモニウム塩）、スピリットブラックＳＢ（Ｃ．Ｉ．ソルベントブラック５）、スピロンブラックＧＭＨ（Ｃ．Ｉ．ソルベントブラック４３）、バリファーストレッド１３０８（Ｃ．Ｉ．ベーシックレッド１の染料とＣ．Ｉ．アシッドイエロー２３の染料の造塩体）、バリファーストイエローＡＵＭ（Ｃ．Ｉ．ベーシックイエロー２の染料とＣ．Ｉ．アシッドイエロー４２の染料の造塩体）、スピロンイエローＣ２ＧＨ（Ｃ．Ｉ．ベーシックイエロー２の染料の有機酸塩）、スピロンバイオレットＣＲＨ（Ｃ．Ｉ．ソルベントバイオレット８−１）、バリファーストバイオレット１７０１（Ｃ．Ｉ．ベーシックバイオレット１とＣ．Ｉ．アシッドイエロー４２の染料の造塩体）、スピロンレッドＣＧＨ（Ｃ．Ｉ．ベーシックレッド１の染料の有機酸塩）、スピロンピンクＢＨ（Ｃ．Ｉ．ソルベントレッド８２）、ニグロシンベースＥＸ（Ｃ．Ｉ．ソルベントブラック７）、オイルブルー６１３（Ｃ．Ｉ．ソルベントブルー５）、ネオザポンブルー８０８（Ｃ．Ｉ．ソルベントブルー７０）等が挙げられる。
【００１１】
顔料としては、カーボンブラック、群青、二酸化チタン顔料等の無機顔料、アゾ系顔料、フタロシアニン系顔料、インジゴ顔料、チオインジゴ顔料、スレン顔料、キナクリドン系顔料、アントラキノン系顔料、スレン系顔料、ジケトピロロピロール系顔料、ジオキサジン系顔料、ペリレン系顔料、ペリノン系顔料、イソインドリノン系顔料等の有機顔料、アルミニウム粉やアルミニウム粉表面を着色樹脂で処理した金属顔料、透明又は着色透明フィルムにアルミニウム等の金属蒸着膜を形成した金属光沢顔料、フィルム等の基材に形成したアルミニウム等の金属蒸着膜を剥離して得られる厚みが０．０１〜０．１μｍの金属顔料、金、銀、白金、銅から選ばれる平均粒子径が５〜３０ｎｍのコロイド粒子、蛍光顔料、蓄光性顔料、芯物質として天然雲母、合成雲母、ガラス片、アルミナ、透明性フィルム片の表面を酸化チタン等の金属酸化物で被覆したパール顔料等が挙げられる。
前記着色剤は１種又は２種以上を混合して用いてもよく、インキ組成中３〜４０重量％の範囲で用いられる。
【００１２】
更に、筆跡の滲み抑制、定着性向上、堅牢性付与等の目的で以下の樹脂を用いることもできる。
具体的には、ケトン樹脂、ケトン−ホルムアルデヒド樹脂、アミド樹脂、アルキッド樹脂、ロジン変性樹脂、ロジン変性フェノール樹脂、フェノール樹脂、キシレン樹脂、ポリビニルピロリドン、α−及びβ−ピネン・フェノール重縮合樹脂、ポリビニルブチラール樹脂、アクリル樹脂等を例示できる。
【００１３】
また、所望によりカルナウバワックス、キャンデリラワックス、ライスワックス、みつろう、オゾケライト、セレシン、モンタンワックス、モンタン酸ワックス、モンタンエステルワックス等のワックス類を添加することもできる。
【００１４】
本発明の油性インキ組成物をボールペンに適用する際には、オレイン酸等の高級脂肪酸、長鎖アルキル基を有するノニオン性界面活性剤、ポリエーテル変性シリコーンオイル、チオ亜燐酸トリ（アルコキシカルボニルメチルエステル）やチオ亜燐酸トリ（アルコキシカルボニルエチルエステル）等のチオ亜燐酸トリエステル等の潤滑剤を必要により添加することもできるが、特に、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、或いは、それらの金属塩、アンモニウム塩、アミン塩、アルカノールアミン塩等を用いるとボール受け座の摩耗防止効果に優れる。
【００１５】
更に、剪断減粘性付与剤を添加することもできる。
前記剪断減粘性付与剤を添加することによって、不使用時のボールとチップの間隙からのインキ漏れだしを防止したり、筆記先端部を上向き（正立状態）で放置した場合のインキの逆流を防止することができる。
尚、剪断減粘性付与剤を添加する場合は、２０℃でのＥ型粘度計による３．８４Ｓ-1の剪断速度におけるインキ粘度が１０ｍＰａ・ｓ（２０℃）以上、好適には１０〜１００００ｍＰａ・ｓであり、且つ、剪断減粘指数を０．３〜０．９９の範囲に調整することが好ましく、前記した粘度範囲及び剪断減粘指数を示すことによって、更にインキ漏れだし、インキの逆流を防止することができる。
また、着色剤として顔料を用いた場合には、前記顔料の凝集・沈降を抑制することができる。
インキ粘度が１０ｍＰａ・ｓ未満では剪断減粘性による効果が適正ではなく、インキ吐出性及び筆跡性能に支障を来すこともある。
尚、剪断減粘指数（ｎ）は、剪断応力値（Ｔ）及び剪断速度値（ｊ）の如き粘度計による流動学測定から得られる実験式Ｔ＝Ｋｊn （Ｋは非ニュートン粘性係数）にあてはめることによって計算される値である。
【００１６】
前記剪断減粘性付与剤を以下に例示する。
架橋型アクリル樹脂、架橋型アクリル樹脂のエマルションタイプ、架橋型Ｎ−ビニルカルボン酸アミド重合体又は共重合体、非架橋型Ｎ−ビニルカルボン酸アミド重合体又は共重合体非架橋型Ｎ−ビニルカルボン酸アミド重合体又は共重合体の水溶液、水添ヒマシ油、脂肪酸アマイドワックス、酸化ポリエチレンワックス等のワックス類、ステアリン酸アルミニウム、パルミチン酸アルミニウム、オクチル酸アルミニウム、ラウリン酸アルミニウム等の脂肪酸金属塩、ジベンジリデンソルビトール、デキストリン脂肪酸エステル、Ｎ−アシルアミノ酸系化合物、スメクタイト系無機化合物、モンモリロナイト系無機化合物、ベントナイト系無機化合物、ヘクトライト系無機化合物、シリカ、下記一般式（１）と下記一般式（２）とのアクリル共重合体、
【化１】
2005120287.tif 000002
【化２】
2005120287.tif 000003
〔式中、Ｒ1 は炭素数１乃至１２のアルキル基を示し、Ｒ2 は炭素数１乃至２４のアルキル基を示し、ｍ、ｎは数千乃至数十万の重合度を示す。〕
アクリル酸又はメタクリル酸と、下記一般式（３）又は（４）で示されるアクリル酸エステル又はメタクリル酸エステルの共重合体
【化３】
2005120287.tif 000004
（式中、Ｒ1 は炭素数１乃至１２のアルキル基を示す。）
【化４】
2005120287.tif 000005
（式中、Ｒ2 は炭素数１乃至１２のアルキル基を示す。）
前記剪断減粘性付与剤を添加することによって筆跡の滲みを抑制することができるため、紙面は勿論、浸透性の高い布帛等の繊維材料に筆記しても筆跡は滲むことなく、良好な筆跡を形成できる。
【００１７】
前記インキ組成物は、チップを筆記先端部に装着したマーキングペンやボールペンに充填して実用に供される。
マーキングペンに充填する場合、マーキングペン自体の構造、形状は特に限定されるものではなく、例えば、繊維チップ、フェルトチップ、プラスチックチップを筆記先端部に装着し、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内部に直接インキを収容して、弁機構により前記筆記先端部に所定量のインキを供給する構造のマーキングペンが挙げられる。
ボールペンに充填する場合、ボールペン自体の構造、形状は特に限定されるものではなく、例えば、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内にインキ組成物を充填したインキ収容管を有し、該インキ収容管はボールを先端部に装着したチップに連通しており、さらにインキの端面には逆流防止用の液栓が密接している構造のボールペンを例示できる。
【００１８】
前記ボールペンチップについて更に詳しく説明すると、金属製のパイプの先端近傍を外面より内方に押圧変形させたボール抱持部にボールを抱持してなるチップ、或いは、金属材料をドリル等による切削加工により形成したボール抱持部にボールを抱持してなるチップ、金属又はプラスチック製チップ内部に樹脂製のボール受け座を設けたチップ、或いは、前記チップに抱持するボールをバネ体により前方に付勢させたもの等を適用できる。
又、前記ボールは、超硬合金、ステンレス鋼、ルビー、セラミック、樹脂、ゴム等の０．３〜３ｍｍ径程度のものが適用できる。
なお、本発明のインキを充填する筆記具は、ボールと同様の転動作用により筆跡を形成させる、ローラー等の転動機構を筆記先端部に備えたものを含む。
【００１９】
インキ組成物を収容するインキ収容管は、例えば、ポリエチレン、ポリプロピレン、ポリエチレンテレフタレート、ナイロン等の熱可塑性樹脂からなる成形体が用いられる。
更に、インキ収容管として透明、着色透明、或いは半透明の成形体を用いることにより、インキ色やインキ残量等を確認できる。
前記インキ収容管にはチップを直接連結する他、接続部材を介して前記インキ収容管とチップを連結してもよい。
尚、インキ収容管はレフィルの形態として、前記レフィルを軸筒内に収容するものでもよいし、先端部にチップを装着した軸筒自体をインキ収容体として、前記軸筒内に直接インキを充填してもよい。
【００２０】
前記インキ収容管に収容したインキ組成物の後端にはインキ逆流防止体を充填することもできる。
前記インキ逆流防止体組成物は不揮発性液体又は難揮発性液体からなる。
具体的には、ワセリン、スピンドル油、ヒマシ油、オリーブ油、精製鉱油、流動パラフィン、ポリブテン、α−オレフィン、α−オレフィンのオリゴマーまたはコオリゴマー、ジメチルシリコーンオイル、メチルフェニルシリコーンオイル、アミノ変性シリコーンオイル、ポリエーテル変性シリコーンオイル、脂肪酸変性シリコーンオイル等があげられ、一種又は二種以上を併用することもできる。
【００２１】
前記不揮発性液体及び／又は難揮発性液体には、ゲル化剤を添加して好適な粘度まで増粘させることが好ましく、表面を疎水処理したシリカ、表面をメチル化処理した微粒子シリカ、珪酸アルミニウム、膨潤性雲母、疎水処理を施したベントナイトやモンモリロナイトなどの粘土系増粘剤、ステアリン酸マグネシウム、ステアリン酸カルシウム、ステアリン酸アルミニウム、ステアリン酸亜鉛等の脂肪酸金属石鹸、トリベンジリデンソルビトール、脂肪酸アマイド、アマイド変性ポリエチレンワックス、水添ひまし油、脂肪酸デキストリン等のデキストリン系化合物、セルロース系化合物を例示できる。
更に、前記液状のインキ逆流防止体組成物と、固体のインキ逆流防止体を併用することもできる。
【００２２】
本発明の筆記具用油性インキ組成物は、有機溶剤中に、染料又は顔料（顔料分散体）、フェノール系酸化防止剤、必要により剪断減粘性付与剤や各種添加剤を投入し、必要により加温して攪拌し、溶解及び分散することにより調製され、ボールペン、サインペン、フェルトペン、筆ペン等の形態の筆記具に充填して使用される。
【実施例】
【００２３】
以下に実施例及び比較例のインキの組成を表に示す。尚、組成中の部は重量部を示す。
実施例１
黒色染料                                                          ２０．０部
〔商品名：バリファーストブラック３８０６、オリエント化学工業（株）社製〕
ケトン−ホルムアルデヒド樹脂                                      １０．０部
〔商品名：シンセチックレジンＳＫ、ドイツ国ヒュルス社製〕
ポリビニルピロリドン                                                １．０部
〔商品名：ルビスコールＫ−９０、ドイツ国ＢＡＳＦ社製〕
ポリＮ−ビニルアセトアミド                                          ０．６部
〔商品名：レオジックＧＸ２０５、日本純薬（株）社製、剪断減粘性付与剤〕
オレイン酸                                                          ３．０部
１，１，３−トリス（２−メチル−４−ヒドロキシ−５−ｔ−ブチルフェニル）ブタン
０．５部
〔商品名：アデカスタブＡＯ−３０、旭電化工業（株）社製〕
フェニルセロソルブ                                                ５４．９部
ベンジルアルコール                                                １０．０部
前記各成分を混合し、ディスパーにて１時間撹拌して筆記具用油性インキを得た。
【００２４】
実施例２
青色顔料                                                            ８．０部
〔商品名：クロモフタルブルーＡ３Ｒ、スイス国ＣＩＢＡ社製〕
ポリビニルブチラール                                                ８．０部
〔商品名：エスレックＢＬ−１、積水化学工業（株）社製〕
ケトン−ホルムアルデヒド樹脂                                      １０．０部
〔商品名：シンセチックレジンＳＫ、ドイツ国ヒュルス社製〕
ポリオキシエチレンアルキルエーテルリン酸                            ２．０部
〔商品名：プライサーフＡ２０７Ｈ、第一工業製薬（株）社製、ポリオキシエチレンアルキルエーテルのリン酸モノエステルとポリオキシエチレンアルキルエーテルのリン酸ジエステルの混合物〕
４，４′−ブチリデンビス（３−メチル−６−ｔ−ブチルフェノール）    １．０部
〔商品名：アデカスタブＡＯ−４０、旭電化工業（株）社製〕
エタノール                                                        ７１．０部
前記各成分を混合し、ディスパーにて１時間撹拌して筆記具用油性インキを得た。
【００２５】
実施例３
カーボンブラック                                                  １０．０部
ポリビニルブチラール                                              １０．０部
〔商品名：エスレックＢＬ−１、積水化学工業（株）社製〕
フェノール樹脂                                                    １０．０部
〔商品名：タマノール９０３、荒川化学工業（株）社製〕
架橋型アクリル樹脂                                                １０．０部
〔商品名：ビスカレックスＨＶ−３０、クラリアントポリマー社製、剪断減粘性付与剤〕
ポリオキシエチレンアルキルエーテルリン酸                            １．０部
〔商品名：プライサーフＡ２０７Ｈ、第一工業製薬（株）社製、ポリオキシエチレンアルキルエーテルのリン酸モノエステルとポリオキシエチレンアルキルエーテルのリン酸ジエステルの混合物〕
ポリオキシエチレンアルキルアミン                                    ３．０部
〔商品名：エソミンＣ２５、ライオンアクゾ（株）社製
２，６−ジ−ｔ−ブチル−ｐ−クレゾール                              ０．５部
〔商品名：ヨシノックスＢＨＴ、吉富製薬（株）社製〕
ｎ−プロピルアルコール                                            ５５．５部
前記各成分を混合し、ディスパーにて１時間撹拌して筆記具用油性インキを得た。
【００２６】
比較例１
実施例１の１，１，３−トリス（２−メチル−４−ヒドロキシ−５−ｔ−ブチルフェニル）ブタンをフェニルセロソルブに代えた以外は実施例１と同様にして筆記具用油性インキを得た。
【００２７】
比較例２
実施例２の４，４′−ブチリデンビス（３−メチル−６−ｔ−ブチルフェノール）をエタノールに代えた以外は実施例２と同様にして筆記具用油性インキを得た。
【００２８】
比較例３
実施例３の２，６−ジ−ｔ−ブチル−ｐ−クレゾールをｎ−プロピルアルコールに代えた以外は実施例３と同様にして筆記具用油性インキを得た。
【００２９】
ボールペンの作製
前記実施例及び比較例のインキを、直径０．５ｍｍのボールを抱持するステンレススチール製チップがポリプロピレン製パイプの一端に嵌着されたボールペンレフィルに充填し、更に、前記インキ後端面に密着させてインキ逆流防止体を充填した後、前記ボールペンレフィルを軸筒に組み込み、ボールペンを得た。
【００３０】
前記ボールペンを２５℃で３０日間放置した後、インキ収容管内の気泡の有無、及び、筆記試験により筆跡の状態を目視により観察した。
これとは別に、前記ボールペンを５０℃で３０日間放置した後、インキ収容管内の気泡の有無、及び、筆記試験により筆跡の状態を目視により観察した。
その結果を以下に示す。
【００３１】
【表１】
2005120287.tif 000006
【００３２】
尚、前記表中の筆記試験の判定基準は以下の通りである。
評価：○  良好な筆跡が得られる。
×  筆跡がかすれる、又は、筆跡を形成できない。